(57)【特許請求の範囲】
【請求項１】
勾配屋根の上に固定された太陽エネルギー収集パネルの上に設置される屋根用足場であって、
足場本体に索状つなぎ材によりつながれた飛散防止金具を有し、
飛散防止金具は、把持部と板状頭部とが軸状首部により連結されてなり、勾配屋根の勾配方向で相隣る軒側太陽エネルギー収集パネルの棟側端部と棟側太陽エネルギー収集パネルの軒側端部の間隙部に着脱自在にされ、該間隙部の上部に把持部を位置し、該間隙部に軸状首部を位置し、該間隙部の下部に板状頭部を位置した状態で、把持部に加える回転操作により回動される把持部と板状頭部によって軒側太陽エネルギー収集パネルの棟側端部及び棟側太陽エネルギー収集パネルの軒側端部を上下から挟み、それらの相隣る太陽エネルギー収集パネルに係止される屋根用足場。
【請求項２】
前記太陽エネルギー収集パネルが、パネル本体と該パネル本体の対向する少なくとも２辺に設けられるフレームを有し、それらの２辺に設けられたフレームが勾配屋根の棟側と軒側に配置されて該勾配屋根の上に固定され、
前記足場本体が、太陽エネルギー収集パネルのパネル本体との間に隙間を介する状態で、そのフレームの上面に載置され、
足場本体の一端部に設けられた引っ掛け部が、該足場本体が載置された太陽エネルギー収集パネルの棟側のフレームの棟側を向く側面に係合する請求項１に記載の屋根用足場。
【請求項３】
前記飛散防止金具が、勾配屋根の勾配方向で相隣る軒側太陽エネルギー収集パネルの棟側のフレームと、棟側太陽エネルギー収集パネルの軒側のフレームの間隙部に着脱自在にされ、該間隙部の上部に把持部を位置し、該間隙部に軸状首部を位置し、該間隙部の下部に板状頭部を位置した状態で、把持部に加える回転操作により回動される把持部と板状頭部によって軒側太陽エネルギー収集パネルの棟側のフレーム及び棟側太陽エネルギー収集パネルの軒側のフレームを上下から挟む請求項２に記載の屋根用足場。
【請求項４】
前記足場本体が、
太陽エネルギー収集パネルと概ね同一長をなす２個の縦材を平行に配置し、
両縦材に跨って複数の踏板を設け、
相隣る踏板の間に開口を設けた請求項１〜３のいずれかに記載の屋根用足場。
【請求項５】
前記足場本体が、
太陽エネルギー収集パネルと概ね同一長をなす２個のコ型断面の縦材のコ型凹部を向い合せて配置し、
両縦材の両端部のそれぞれに接合される横桟を各縦材のコ型凹部に差し込み、
前記引っ掛け部を両縦材の一端部の下面に架け渡すようにその下面に設けてなり、
前記引っ掛け部と横桟との間で、各縦材のコ型断面の板厚が形成する隙間に、前記飛散防止金具が差し込み保管される請求項１〜４のいずれかに記載の屋根用足場。
【請求項６】
請求項１に記載の屋根用足場が勾配屋根の勾配方向に複数並置されてなる屋根用足場の設置構造であって、
軒側に設置される屋根用足場の引っ掛け部が、軒側太陽エネルギー収集パネルの棟側端部と棟側太陽エネルギー収集パネルの軒側端部の間隙部に差し込まれ、該軒側太陽エネルギー収集パネルの棟側端部の棟側を向く側面に係合してなるとともに、
飛散防止金具が上記間隙部に差し込まれ、該間隙部の上部に把持部を位置し、該間隙部に軸状首部を位置し、該間隙部の下部に板状頭部を位置した状態で、把持部に加える回転操作により回動される把持部と板状頭部によって軒側太陽エネルギー収集パネルの棟側端部及び棟側太陽エネルギー収集パネルの軒側端部を上下から挟んでなる屋根用足場の設置構造。
【発明の詳細な説明】
【技術分野】
【０００１】
本発明は、太陽電池モジュール、太陽熱温水器等の太陽エネルギー収集パネルが固定された勾配屋根の上に設置される屋根用足場及びその設置構造に関する。
【背景技術】
【０００２】
太陽エネルギー収集パネルは、太陽光を電力に変換する等の機能を有し、太陽光を受光するために勾配屋根に固定される。この太陽エネルギー収集パネルは天候の変化、塵埃や飛来物の影響を受け、パネル本体における受光面の透明性を損なわせて発電出力等を低下したり、損傷や故障を生ずるおそれがある。従って、太陽エネルギー収集パネルは清掃、修理等のメンテナンスが必要とされる。
【０００３】
このため、太陽エネルギー収集パネルが固定された屋根の上では、屋根自体のメンテナンスと、太陽エネルギー収集パネルのメンテナンスを行なうために、作業者のための特許文献１に記載の如くの屋根用足場が該太陽エネルギー収集パネルの上に設置されて用いられる。
【０００４】
このとき、太陽エネルギー収集パネルは、パネル本体と該パネル本体の対向する少なくとも２辺に設けられる左右のフレームを有する。そして、屋根用足場は、太陽エネルギー収集パネルのパネル本体に対向して配置される天面部と、天面部の左右両側で該天面部から垂下される左右の側部と、左右の側部の下端に配置されて太陽エネルギー収集パネルの左右のフレームの上に載置される左右の載置部と、左右の側部の下端に配置されて上記左右のフレームの側面に係合する左右の係合部とを備える。
【０００５】
これにより、屋根用足場は、勾配屋根に固定された太陽エネルギー収集パネルの左右のフレームの上に載置部を載置する状態で、左右の係合部を太陽エネルギー収集パネルの勾配方向に沿う左右のフレームの側面に係合し、太陽エネルギー収集パネルに対してパネル本体から上方に離れた位置に天面部を配置することができる。作業者は、太陽エネルギー収集パネルのパネル本体に影響を与えることなく、各種の作業を天面部の上で容易に、効率良く行なうことができる。
【先行技術文献】
【特許文献】
【０００６】
【特許文献１】特開2014-1560号公報
【発明の概要】
【発明が解決しようとする課題】
【０００７】
特許文献１に記載の屋根用足場は、太陽エネルギー収集パネルの左右のフレームの上に載置部を載置する状態で、左右の係合部を太陽エネルギー収集パネルの勾配方向に沿う左右のフレームの側面に単に係合して使用されるものであり、太陽エネルギー収集パネルが固定された屋根の上で簡易に取外して位置替えできるものの、突風等の風の吹き上げ力により持ち上げられ、吹飛ばされて周辺に飛散するおそれがある。
【０００８】
本発明の課題は、太陽エネルギー収集パネルの上に設置された屋根用足場の風力による飛散を防止することにある。
【課題を解決するための手段】
【０００９】
請求項１に係る発明は、勾配屋根の上に固定された太陽エネルギー収集パネルの上に設置される屋根用足場であって、足場本体に索状つなぎ材によりつながれた飛散防止金具を有し、飛散防止金具は、把持部と板状頭部とが軸状首部により連結されてなり、勾配屋根の勾配方向で相隣る軒側太陽エネルギー収集パネルの棟側端部と棟側太陽エネルギー収集パネルの軒側端部の間隙部に着脱自在にされ、該間隙部の上部に把持部を位置し、該間隙部に軸状首部を位置し、該間隙部の下部に板状頭部を位置した状態で、把持部に加える回転操作により回動される把持部と板状頭部によって軒側太陽エネルギー収集パネルの棟側端部及び棟側太陽エネルギー収集パネルの軒側端部を上下から挟み、それらの相隣る太陽エネルギー収集パネルに係止されるようにしたものである。
【００１０】
請求項２に係る発明は、請求項１に係る発明において更に、前記太陽エネルギー収集パネルが、パネル本体と該パネル本体の対向する少なくとも２辺に設けられるフレームを有し、それらの２辺に設けられたフレームが勾配屋根の棟側と軒側に配置されて該勾配屋根の上に固定され、前記足場本体が、太陽エネルギー収集パネルのパネル本体との間に隙間を介する状態で、そのフレームの上面に載置され、足場本体の一端部に設けられた引っ掛け部が、該足場本体が載置された太陽エネルギー収集パネルの棟側のフレームの棟側を向く側面に係合するようにしたものである。
【００１１】
請求項３に係る発明は、請求項２に係る発明において更に、前記飛散防止金具が、勾配屋根の勾配方向で相隣る軒側太陽エネルギー収集パネルの棟側のフレームと、棟側太陽エネルギー収集パネルの軒側のフレームの間隙部に着脱自在にされ、該間隙部の上部に把持部を位置し、該間隙部に軸状首部を位置し、該間隙部の下部に板状頭部を位置した状態で、把持部に加える回転操作により回動される把持部と板状頭部によって軒側太陽エネルギー収集パネルの棟側のフレーム及び棟側太陽エネルギー収集パネルの軒側のフレームを上下から挟むようにしたものである。
【００１２】
請求項４に係る発明は、請求項１〜３のいずれかに係る発明において更に、前記足場本体が、太陽エネルギー収集パネルと概ね同一長をなす２個の縦材を平行に配置し、両縦材に跨って複数の踏板を設け、相隣る踏板の間に開口を設けたものである。
【００１３】
請求項５に係る発明は、請求項１〜４のいずれかに係る発明において更に、前記足場本体が、太陽エネルギー収集パネルと概ね同一長をなす２個のコ型断面の縦材のコ型凹部を向い合せて配置し、両縦材の両端部のそれぞれに接合される横桟を各縦材のコ型凹部に差し込み、前記引っ掛け部を両縦材の一端部の下面に架け渡すようにその下面に設けてなり、前記引っ掛け部と横桟との間で、各縦材のコ型断面の板厚が形成する隙間に、前記飛散防止金具が差し込み保管されるようにしたものである。
【００１４】
請求項６に係る発明は、請求項１に記載の屋根用足場が勾配屋根の勾配方向に複数並置されてなる屋根用足場の設置構造であって、軒側に設置される屋根用足場の引っ掛け部が、軒側太陽エネルギー収集パネルの棟側端部と棟側太陽エネルギー収集パネルの軒側端部の間隙部に差し込まれ、該軒側太陽エネルギー収集パネルの棟側端部の棟側を向く側面に係合してなるとともに、飛散防止金具が上記間隙部に差し込まれ、該間隙部の上部に把持部を位置し、該間隙部に軸状首部を位置し、該間隙部の下部に板状頭部を位置した状態で、把持部に加える回転操作により回動される把持部と板状頭部によって軒側太陽エネルギー収集パネルの棟側端部及び棟側太陽エネルギー収集パネルの軒側端部を上下から挟んでなるようにしたものである。
【発明の効果】
【００１５】
（請求項１、３）
(a)屋根用足場の足場本体につながれた飛散防止金具が、勾配屋根の上で相隣る軒側と棟側の太陽エネルギー収集パネルに係止される。従って、屋根用足場は、突風等の風の吹き上げ力により持ち上げられても、飛散防止金具の存在により相隣る軒側と棟側の太陽エネルギー収集パネルに係止され続け、吹飛ばされて周辺に飛散することがない。
【００１６】
(b)飛散防止金具は、相隣る軒側と棟側の太陽エネルギー収集パネルの間隙部に板状頭部の側を差し込み、該間隙部の上部に把持部を位置し、該間隙部に軸状首部を位置し、該間隙部の下部に板状頭部を位置した状態で、把持部に加える回転操作により回動される把持部と板状頭部によって軒側太陽エネルギー収集パネルの棟側端部及び棟側太陽エネルギー収集パネルの軒側端部を上下から挟むことにより、相隣る軒側と棟側の太陽エネルギー収集パネルに確実に係止される。屋根用足場の飛散防止手段が太陽エネルギー収集パネルにねじ止めされる等に比して、簡便である。
【００１７】
（請求項２）
(c)屋根用足場は、足場本体の一端側に設けられた引っ掛け部を、該足場本体が載置された太陽エネルギー収集パネルの棟側のフレームの棟側を向く側面に係合することで、勾配屋根の上における滑落を防ぐものになる。
【００１８】
足場本体の一端部に設けられた引っ掛け部が、太陽エネルギー収集パネルの棟側のフレームの棟側の一側面だけに係合するように設置すれば足り、設置作業性は簡易である。
【００１９】
足場本体の一端部に設けられた引っ掛け部は、太陽エネルギー収集パネルの棟側のフレームの棟側を向く側面に係合して滑落阻止され、他の滑落防止用部材の存在を必要とせず、設置構造は簡素になる。
【００２０】
（請求項４）
(d)屋根用足場が、相隣る踏板の間に開口を設けたから、突風等の風の吹き上げ力を上記開口から逃がすことにより、そのような吹き上げ力による持ち上がりを抑制し、ひいては周辺への飛散を一層防止できる。
【００２１】
（請求項５）
(e)屋根用足場が、両縦材の両端部のそれぞれに接合される横桟を各縦材のコ型凹部に差し込み、前記引っ掛け部を両縦材の一端部の下面に架け渡すようにその下面に設けてなり、前記引っ掛け部と横桟との間で、各縦材のコ型断面の板厚が形成する隙間に、前記飛散防止金具が差し込み保管されるものとした。屋根用足場の移動時等に、足場本体と索状つなぎ材によりつながれた飛散防止金具が上記引っ掛け部と横桟との間の隙間に差し込み保管されるから、飛散防止金具が自由に揺れ動いて足場本体に当たって損傷を生じたり、異音を生ずることもない。
【００２２】
（請求項６）
(f)軒側に設置される屋根用足場の引っ掛け部が、軒側太陽エネルギー収集パネルの棟側のフレームと棟側太陽エネルギー収集パネルの軒側のフレームとの間隙部に差し込まれ、該軒側太陽エネルギー収集パネルの棟側のフレームの棟側を向く側面に係合するように設置される。また、各屋根用足場につながれた飛散防止金具が上記間隙部に差し込まれ、それらの相隣る軒側と棟側の太陽エネルギー収集パネルに係止される。これにより、複数の屋根用足場を勾配屋根の上に固定された複数の太陽エネルギー収集パネルの上でそれらの勾配方向に整然と並置し、かつ各屋根用足場の風力による飛散を防止できる。
【図面の簡単な説明】
【００２３】
【図１】図１は勾配屋根の上に並置された複数の太陽エネルギー収集パネルを示す模式図である。
【図２】図２は太陽エネルギー収集パネルの上に設置された屋根用足場を示す模式図である。
【図３】図３は屋根用足場の引っ掛け部が相隣る太陽エネルギー収集パネルの間隙部に差し込まれた状態を示す模式図である。
【図４】図４は飛散防止金具が相隣る太陽エネルギー収集パネルの間隙部に差し込まれた状態を示す模式図である。
【図５】図５は飛散防止金具が相隣る太陽エネルギー収集パネルの間隙部に差し込まれ、回転操作される状態を示す模式図である。
【図６】図６は屋根用足場を示す斜視図である。
【図７】図７は屋根用足場を示す平面図である。
【図８】図８は屋根用足場を示す正面図である。
【図９】図９は屋根用足場を示す側面図である。
【図１０】図１０は飛散防止金具が屋根用足場の足場本体に設けた隙間に差し込み保管される状態を示す斜視図である。
【発明を実施するための形態】
【００２４】
屋根用足場１０は、図１、図２に示す如く、ユニット建物等の建物１００の勾配屋根１０１の上に固定された太陽電池モジュールである太陽エネルギー収集パネル２００の上に設置される。本実施例において、太陽エネルギー収集パネル２００は、勾配屋根１０１の勾配方向（上下方向）に複数段、本実施例では上下５段をなして並置され、勾配屋根１０１の勾配方向に直交する方向（左右方向）に複数列、本実施例では例えば左右５列をなして並置され、結果として、全２５個の太陽エネルギー収集パネル２００が勾配屋根１０１の上に固定されている。
【００２５】
太陽エネルギー収集パネル２００は、平面視で矩形状とされるパネル本体２０１と、パネル本体２０１の外周の対向する少なくとも上下２辺、本実施例では全周の左右上下４辺に固定化されたフレーム２０２を有する。
【００２６】
太陽エネルギー収集パネル２００は、不図示の固定具により勾配屋根１０１の上に固定される。本実施例において、太陽エネルギー収集パネル２００は、勾配屋根１０１の勾配方向の棟側と軒側に位置することとなる棟側フレーム２０２Ｕと軒側フレーム２０２Ｄのそれぞれが、不図示の固定具を介して勾配屋根１０１の棟側と軒側に配置され、勾配屋根１０１の上に固定される。太陽エネルギー収集パネル２００は、不図示の固定具により勾配屋根１０１の上に固定されたとき、勾配屋根１０１の上面との間に一定の間隔を介する。
【００２７】
屋根用足場１０は、図６に示す如く、足場本体２０と引っ掛け部３０とを有する。足場本体２０は、太陽エネルギー収集パネル２００のパネル本体２０１の上面２０１Ｅとの間に後述する隙間Ｇを介する状態で、そのフレーム２０２の上面２０２Ｅに載置される。引っ掛け部３０は、足場本体２０の一端部に設けられ、該足場本体２０が載置された太陽エネルギー収集パネル２００の棟側フレーム２０２Ｕの棟側を向く側面２０２Ｆに、棟側から係合する（図２）。
【００２８】
本実施例では、勾配屋根１０１の勾配方向に直交する方向において左右５列をなして並置されている各列で、勾配屋根１０１の勾配方向において上下５段をなして並置されている５個の太陽エネルギー収集パネル２００のそれぞれに対し、各１個の屋根用足場１０が設置される。作業者は、左右５列をなして並置されている太陽エネルギー収集パネル２００の各列で、はしごを用いて勾配屋根１０１の軒先から最下段である１段目の太陽エネルギー収集パネル２００の上に１段目となる屋根用足場１０を設置し、１段目の屋根用足場１０の上に乗って２段目の太陽エネルギー収集パネル２００の上に２段目となる屋根用足場１０を設置し、この繰り返しによって上下５段をなす全ての太陽エネルギー収集パネル２００の上に各屋根用足場１０を設置する。
【００２９】
複数の屋根用足場１０を、上述の如くに、勾配屋根１０１の勾配方向の棟側と軒側に配置されて該勾配屋根１０１の上に固定されている太陽エネルギー収集パネル２００の上に並置するとき、軒側に設置される屋根用足場１０の引っ掛け部３０は以下の如くに配置される。即ち、軒側に設置される屋根用足場１０の引っ掛け部３０は、図３に示す如く、軒側の太陽エネルギー収集パネル２００Ｌの棟側フレーム２０２Ｕと棟側の太陽エネルギー収集パネル２００Ｈの軒側フレーム２０２Ｄとの間隙部Ｋに差し込まれ、該軒側の太陽エネルギー収集パネル２００Ｌの棟側フレーム２０２Ｕの棟側を向く側面２０２Ｆに棟側から係合する。
【００３０】
以下、屋根用足場１０の詳細な構成について説明する（図３〜図１０）。
屋根用足場１０の足場本体２０は、太陽エネルギー収集パネル２００と概ね同一長をなす２個のコ型断面のアルミ型材からなる縦材２１のコ型凹部２１Ａを向い合せて配置され、両縦材２１、２１の長手方向の両端部のそれぞれに接合される各１本のアルミ角パイプからなる横桟２２の左右の端部を各縦材２１のコ型凹部２１Ａに差し込んで構成される。横桟２２は縦材２１のコ型凹部２１Ａへの差し込み部で該縦材２１に溶接される。
【００３１】
足場本体２０は、各縦材２１、２１の中間部の複数位置のそれぞれに溶接される広幅アルミ平板材からなる平板状踏板２３の左右の端部を、各縦材２１のコ型凹部２１Ａに差し込み、縦材２１のコ型凹部２１Ａへの差し込み部で該縦材２１に溶接して構成される。両縦材２１、２１の中間部の平板状踏板２３が接合されない複数位置のそれぞれに接合されるアルミ等辺アングルからなる山型断面の山形踏板２４の左右の端部が、各縦材２１の中間部の上面に溶接される。山形踏板２４は、二等辺アングルの山型断面の両端部を各縦材２１の中間部の上面に載せて溶接され、両縦材２１、２１の上面から山型をなすように突出する（図６、図８）。
【００３２】
足場本体２０は、両縦材２１、２１の両端部に各１本の横桟２２を接合した四角枠内の平面視で、相隣る横桟２２と平板状踏板２３の間、相隣る平板状踏板２３と平板状踏板２３の間、相隣る平板状踏板２３と山形踏板２４の間のそれぞれに、上下に貫通する開口Ｆを設けている。開口Ｆは足場本体２０に作用する突風等の風の吹き上げ力を逃がすものである。
【００３３】
屋根用足場１０の引っ掛け部３０は、足場本体２０を構成する両縦材２１、２１の一端部の下面に架け渡すように、その下面に固定される。引っ掛け部３０は、図３に示す如く、Ｌ型断面のアルミ型材からなり、Ｌ型断面の一辺からなる取付辺３１の上面が足場本体２０の一端部の下面、本実施例では足場本体２０を構成している横桟２２の下面に溶接され、Ｌ型断面の他辺からなる引っ掛け辺３２が足場本体２０の反対方向へ突き出るように配置される。この引っ掛け辺３２が太陽エネルギー収集パネル２００の棟側フレーム２０２Ｕの棟側を向く側面２０２Ｆに、棟側から係合するものになる。
【００３４】
尚、足場本体２０の他端部の下面、本実施例では足場本体２０を構成している横桟２２の下面に、例えばアルミ板からなる取付板３３が溶接される。取付板３３は引っ掛け部３０の取付辺３１と同一板厚をなす。
【００３５】
屋根用足場１０は、足場用本体２０が緩衝材４０を介して太陽エネルギー収集パネル２００のフレーム２０２の上面に載置される。緩衝材４０は、本実施例では、例えばゴム板からなり、引っ掛け部３０の取付辺３１の下面と取付板３３の下面のそれぞれに接着される。この緩衝材４０が、太陽エネルギー収集パネル２００のフレーム２０２の上面２０２Ｅとの接触による太陽エネルギー収集パネル２００のキズつきを防止する。
【００３６】
従って、屋根用足場１０が太陽エネルギー収集パネル２００におけるフレーム２０２の上面２０２Ｅに設置されたとき、屋根用足場１０における足場本体２０の縦材２１と太陽エネルギー収集パネル２００のパネル本体２０１の上面２０１Ｅとの間には、図３に示す如く、フレーム２０２の上面２０２Ｅがパネル本体２０１の上面２０１Ｅとの間になす段差、緩衝材４０の板厚、引っ掛け部３０の取付辺３１の板厚の合計寸法からなる隙間Ｇが形成され、パネル本体２０１を保護する。
【００３７】
更に、屋根用足場１０は、図４、図５に示す如く、足場本体２０にスチールワイヤ、プラスチックワイヤ等の索状つなぎ材６０によりつながれた飛散防止金具５０を有する。飛散防止金具５０がつながれたつなぎ材６０は、本実施例では、足場本体２０の縦材２１に取着されている。
【００３８】
飛散防止金具５０は、図４に示す如く、把持部５１と板状頭部５２とが軸状首部５３により連結されて構成される。本実施例において、把持部５１と板状頭部５２は同一面上に位置する平板状をなす。
【００３９】
飛散防止金具５０は、勾配屋根１０１の勾配方向で相隣る軒側太陽エネルギー収集パネル２００Ｌの棟側フレーム２０２Ｕ（棟側端部）と棟側太陽エネルギー収集パネル２００Ｈの軒側フレーム２０２Ｄ（軒側端部）の間隙部Ｋ（前述の引っ掛け部３０が差し込まれていない位置の間隙部Ｋ）に着脱自在にされる。そして、飛散防止金具５０は、図４、図５に示す如く、間隙部Ｋの上部に把持部５１を位置し、間隙部Ｋに軸状首部５３を位置し、間隙部Ｋの下部に板状頭部５２を位置した状態で、把持部５１に加える回転操作により回動される把持部５１と板状頭部５２によって軒側太陽エネルギー収集パネル２００Ｌの棟側フレーム２０２Ｕと棟側太陽エネルギー収集パネル２００Ｈの軒側フレーム２０２Ｄを上下から挟み、それらの相隣る太陽エネルギー収集パネル２００Ｌ、２００Ｈに係止される。
【００４０】
ここで、屋根用足場１０は、引っ掛け部３０を前述の如くに足場本体２０の両縦材２１、２１の一端部の下面に設けたとき、引っ掛け部３０と足場本体２０の横桟２２との間に、各縦材２１のコ型断面の板厚が形成する隙間Ｊを設ける（図９）。そして、飛散防止金具５０は、図１０に示す如く、上記隙間Ｊに差し込み保管される。
【００４１】
従って、屋根用足場１０が軒側太陽エネルギー収集パネル２００Ｌの棟側フレーム２０２Ｕの上面２０２Ｅと棟側太陽エネルギー収集パネル２００Ｈの軒側フレーム２０２Ｄの上面２０２Ｅに設置されたとき、飛散防止金具５０が前記間隙部Ｋに差し込まれ、それらの相隣る太陽エネルギー収集パネル２００Ｌ、２００Ｈに係止される。このとき、屋根用足場１０は索状つなぎ材６０を介して上記飛散防止金具５０につながれるものになる。
【００４２】
従って、本実施例によれば以下の作用効果を奏する。
(a)屋根用足場１０の足場本体２０につながれた飛散防止金具５０が、勾配屋根１０１の上で相隣る軒側と棟側の太陽エネルギー収集パネル２００Ｌ、２００Ｈに係止される。従って、屋根用足場１０は、突風等の風の吹き上げ力により持ち上げられても、飛散防止金具５０の存在により相隣る軒側と棟側の太陽エネルギー収集パネル２００Ｌ、２００Ｈに係止され続け、吹飛ばされて周辺に飛散することがない。
【００４３】
(b)飛散防止金具５０は、相隣る軒側と棟側の太陽エネルギー収集パネル２００Ｌ、２００Ｈの間隙部Ｋに板状頭部５２の側を差し込み、該間隙部Ｋの上部に把持部５１を位置し、該間隙部Ｋに軸状首部５３を位置し、該間隙部Ｋの下部に板状頭部５２を位置した状態で、把持部５１に加える回転操作により回動される把持部５１と板状頭部５２によって軒側太陽エネルギー収集パネル２００Ｌの棟側フレーム２０２Ｕ及び棟側太陽エネルギー収集パネル２００Ｈの軒側フレーム２０２Ｄを上下から挟むことにより、相隣る軒側と棟側の太陽エネルギー収集パネル２００Ｌ、２００Ｈに確実に係止される。屋根用足場１０の飛散防止手段が太陽エネルギー収集パネル２００にねじ止めされる等に比して、簡便である。
【００４４】
(c)屋根用足場１０は、足場本体２０の一端側に設けられた引っ掛け部３０を、該足場本体２０が載置された太陽エネルギー収集パネル２００の棟側フレーム２０２Ｕの棟側を向く側面に係合することで、勾配屋根１０１の上における滑落を防ぐものになる。
【００４５】
足場本体２０の一端部に設けられた引っ掛け部３０が、太陽エネルギー収集パネル２００の棟側フレーム２０２Ｕの棟側の一側面だけに係合するように設置すれば足り、設置作業性は簡易である。
【００４６】
足場本体２０の一端部に設けられた引っ掛け部３０は、太陽エネルギー収集パネル２００の棟側フレーム２０２Ｕの棟側を向く側面に係合して滑落阻止され、他の滑落防止用部材の存在を必要とせず、設置構造は簡素になる。
【００４７】
(d)屋根用足場１０が、相隣る横桟２２と平板状踏板２３の間、相隣る平板状踏板２３と平板状踏板２３の間、相隣る平板状踏板２３と山形踏板２４の間のそれぞれに開口Ｆを設けたから、突風等の風の吹き上げ力を上記開口Ｆから逃がすことにより、そのような吹き上げ力による持ち上がりを抑制し、ひいては周辺への飛散を一層防止できる。
【００４８】
(e)屋根用足場１０が、両縦材２１の両端部のそれぞれに接合される横桟２２を各縦材２１のコ型凹部に差し込み、前記引っ掛け部３０を両縦材２１の一端部の下面に架け渡すようにその下面に設けてなり、前記引っ掛け部３０と横桟２２との間で、各縦材２１のコ型断面の板厚が形成する隙間Ｊに、前記飛散防止金具５０が差し込み保管されるものとした。屋根用足場１０の移動時等に、足場本体２０と索状つなぎ材６０によりつながれた飛散防止金具５０が上記引っ掛け部３０と横桟２２との間の隙間Ｊに差し込み保管されるから、飛散防止金具５０が自由に揺れ動いて足場本体２０に当たって損傷を生じたり、異音を生ずることもない。
【００４９】
(f)軒側に設置される屋根用足場１０の引っ掛け部３０が、軒側太陽エネルギー収集パネル２００Ｌの棟側フレーム２０２Ｕと棟側太陽エネルギー収集パネル２００Ｈの軒側フレーム２０２Ｄとの間隙部Ｋに差し込まれ、該軒側太陽エネルギー収集パネル２００Ｌの棟側フレーム２０２Ｕの棟側を向く側面に係合するように設置される。また、各屋根用足場１０につながれた飛散防止金具５０が上記間隙部Ｋに差し込まれ、それらの相隣る軒側と棟側の太陽エネルギー収集パネル２００Ｌ、２００Ｈに係止される。これにより、複数の屋根用足場１０を勾配屋根１０１の上に固定された複数の太陽エネルギー収集パネル２００の上でそれらの勾配方向に整然と並置し、かつ各屋根用足場１０の風力による飛散を防止できる。
【００５０】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明の屋根用足場が設置される太陽エネルギー収集パネルは、太陽熱温水器等であっても良い。
【産業上の利用可能性】
【００５１】
本発明によれば、太陽エネルギー収集パネルの上に設置された屋根用足場の風力による飛散を防止することができる。
【符号の説明】
【００５２】
１０  屋根用足場
２０  足場本体
２１  縦材
２１Ａ  コ型凹部
２２  横桟
２３、２４  踏板
３０  引っ掛け部
４０  緩衝材
５０  飛散防止金具
５１  把持部
５２  板状頭部
５３  軸状首部
６０  索状つなぎ材
１０１  勾配屋根
２００  太陽エネルギー収集パネル
２００Ｌ  軒側太陽エネルギー収集パネル
２００Ｕ  棟側太陽エネルギー収集パネル
２０１  パネル本体
２０１Ｅ  上面
２０２  フレーム
２０２Ｄ  軒側フレーム
２０２Ｕ  棟側フレーム
２０２Ｅ  上面
Ｋ  間隙部
Ｊ  隙間
Ｆ  開口
【図１】
0006343414.tif 000002
【図２】
0006343414.tif 000003
【図３】
0006343414.tif 000004
【図４】
0006343414.tif 000005
【図５】
0006343414.tif 000006
【図６】
0006343414.tif 000007
【図７】
0006343414.tif 000008
【図８】
0006343414.tif 000009
【図９】
0006343414.tif 000010
【図１０】
0006343414.tif 000011